(57)【要約】【課題】  波長多重ネットワークにおける合分波器で合分波される各チャネルの透過率の光周波数依存性（透過特性）を極めて高い精度で測定する。【解決手段】  被測定合分波器の各チャネルの光周波数間隔に等しい光周波数間隔ｆでｎ個以上の光周波数成分からなる光周波数コムを発生し、被測定合分波器に入力する光周波数コム発生部と、被測定合分波器で光周波数コムから分波されたｎ個の光周波数成分の光電力値を測定するｎ個の光電力計と、光周波数コム発生部に対して光周波数コムの各光周波数成分の光周波数間隔ｆを保ったままその中心光周波数を掃引する制御を行う光周波数制御部と、光周波数制御部により設定される光周波数コムの各光周波数成分の光周波数と、光電力計で測定される各光周波数成分の光電力値との関係から、被測定合分波器における各チャネルの透過特性を示すデータを生成するデータ加工部とを備える。【選択図】        図１
2005049241.tif 000002
【特許請求の範囲】
【請求項１】
光信号を狭帯域で等しい光周波数間隔ｆをもった複数のチャネルを合分波する被測定合分波器の各チャネルの透過特性（透過率の光周波数依存性）を測定する合分波器の透過特性測定装置において、
前記各チャネルの光周波数間隔に等しい光周波数間隔ｆでｎ個以上（ｎは２以上の整数）の光周波数成分からなる光周波数コムを発生し、前記被測定合分波器に入力する光周波数コム発生部と、
前記被測定合分波器で前記光周波数コムから分波されたｎ個の光周波数成分の光電力値を測定するｎ個の光電力計と、
前記光周波数コム発生部に対して前記光周波数コムの各光周波数成分の光周波数間隔ｆを保ったままその中心光周波数を掃引する制御を行う光周波数制御部と、
前記光周波数制御部により設定される前記光周波数コムの各光周波数成分の光周波数と、前記光電力計で測定される各光周波数成分の光電力値との関係から、前記被測定合分波器における各チャネルの透過特性を示すデータを生成するデータ加工部と
を備えたことを特徴とする合分波器の透過特性測定装置。
【請求項２】
光信号を狭帯域で等しい光周波数間隔ｆをもった複数のチャネルを合分波する被測定合分波器の各チャネルの透過特性（透過率の光周波数依存性）を測定する合分波器の透過特性測定装置において、
前記各チャネルの光周波数間隔に等しい光周波数間隔ｆでｎ個以上（ｎは２以上の整数）の光周波数成分からなる光周波数コムを発生し、前記被測定合分波器に入力する光周波数コム発生部と、
前記被測定合分波器で前記光周波数コムから分波されたｎ個の光周波数成分の光電力値を測定するｎ個の第１の光電力計と、
前記光周波数コム発生部から出力される光周波数コムを分岐して入力し、ｎ個の光周波数成分を分波する分岐・分波手段と、
前記分岐・分波手段で分波された各光周波数成分の光電力値を測定するｎ個の第２の光電力計と、
前記光周波数コム発生部に対して前記光周波数コムの各光周波数成分の光周波数間隔ｆを保ったままその中心光周波数を掃引する制御を行う光周波数制御部と、
前記第１の光電力計で測定された各光周波数成分の光電力値を前記第２の光電力計で測定された各光周波数成分の光電力値で規格化し、その規格化された各光周波数成分の光電力値と前記光周波数制御部により設定される前記光周波数コムの各光周波数成分の光周波数との関係から、前記被測定合分波器における各チャネルの透過特性を示すデータを生成するデータ加工部と
を備えたことを特徴とする合分波器の透過特性測定装置。
【請求項３】
請求項１または請求項２に記載の合分波器の透過特性測定装置において、
前記ｎ個の光電力計に代えて、前記ｎ個の光電力計に入力するｎ個の光周波数成分の１つを選択する光スイッチと、選択された１つの光周波数成分の光電力値を測定する光電力計とを備え、
前記データ加工部は、前記光スイッチを切り替えて得られる各光周波数成分の光電力値を蓄積し、前記被測定合分波器における各チャネルの透過特性を示すデータを生成する構成である
ことを特徴とする合分波器の透過特性測定装置。
【請求項４】
請求項１〜３のいずれかに記載の合分波器の透過特性測定装置において、
前記光周波数コム発生部は、
繰り返し周波数ｆの光パルスを発生するパルス光源と、
前記繰り返し周波数ｆを保ったまま、前記光パルスの光周波数成分の分布域の外側の広い光周波数領域に新たな光周波数成分を生成し、光周波数間隔ｆの光周波数コムとして出力するＳＣ光発生部と
を備えたことを特徴とする合分波器の透過特性測定装置。
【請求項５】
請求項１〜３のいずれかに記載の合分波器の透過特性測定装置において、
前記光周波数コム発生部は、
繰り返し周波数ｆ／Ｍ（Ｍは２以上の整数）の光パルスを発生するパルス光源と、
前記繰り返し周波数ｆ／Ｍを保ったまま、前記光パルスの光周波数成分の分布域の外側の広い光周波数領域に新たな光周波数成分を生成し、光周波数間隔ｆ／Ｍの光周波数コムとして出力するＳＣ光発生部と、
前記ＳＣ光発生部から出力される光周波数コムを間引き、光周波数間隔ｆの光周波数コムとして出力する周期性透過フィルタと
を備えたことを特徴とする合分波器の透過特性測定装置。
【請求項６】
請求項１〜３のいずれかに記載の合分波器の透過特性測定装置において、
前記光周波数コム発生部は、
繰り返し周波数ｆ／Ｍ（Ｍは２以上の整数）の光パルスを発生するパルス光源と、
前記パルス光源から出力される繰り返し周波数ｆ／Ｍの光パルスを間引き、繰り返し周波数ｆの光パルスを出力する周期性透過フィルタと、
前記繰り返し周波数ｆを保ったまま、前記光パルスの光周波数成分の分布域の外側の広い光周波数領域に新たな光周波数成分を生成し、光周波数間隔ｆの光周波数コムとして出力するＳＣ光発生部と
を備えたことを特徴とする合分波器の透過特性測定装置。
【請求項７】
請求項１〜３のいずれかに記載の合分波器の透過特性測定装置において、
前記光周波数コム発生部は、
繰り返し周波数Ｍｆ（Ｍは２以上の整数）の光パルスを発生するパルス光源と、
前記パルス光源から出力される繰り返し周波数Ｍｆの光パルスをＭ分周し、繰り返し周波数ｆの光パルスを出力する分周器と、
前記繰り返し周波数ｆを保ったまま、前記光パルスの光周波数成分の分布域の外側の広い光周波数領域に新たな光周波数成分を生成し、光周波数間隔ｆの光周波数コムとして出力するＳＣ光発生部と
を備えたことを特徴とする合分波器の透過特性測定装置。
【請求項８】
請求項１〜３のいずれかに記載の合分波器の透過特性測定装置において、
前記光周波数制御部は、所定の基準光の光ピークとこれに最も近い光周波数コムの光ピークとの光周波数間隔が一定になるように前記光周波数コム発生部を制御する構成である  ことを特徴とする合分波器の透過特性測定装置。
【発明の詳細な説明】
【技術分野】
【０００１】
本発明は、波長多重ネットワークなどで用いられる合分波器で合分波される各チャネルの透過率の光周波数依存性（透過特性）を測定する合分波器の透過特性測定装置に関する。
【背景技術】
【０００２】
ｘＤＳＬや光アクセスサービスなどの普及に伴うネットワークへのアクセス手段の高速化により、バックボーンネットワークに流入するトラヒックは着実に増加している。一方、増加するトラヒックを処理するルータやスイッチは、年々高速化されてギガビット領域に達している。このようなバックボーンネットワークを経済的に構築するには、波長多重（ＷＤＭ）伝送技術が効果的になっている。
【０００３】
また、リンクの大容量化に加えて、光領域での経路制御（波長ルーチング）の導入により、トラヒックの効率的な転送と一層の経済化を図るために、一部の波長チャネルを分岐・挿入する光アド・ドロップ技術や、任意の波長チャネルの経路を自由に設定できる光クロスコネクト技術の開発が進められている。
【０００４】
このような波長多重ネットワークにおいて、各波長チャネルの劣化量を抑え、各波長チャネルの均一化を図ることは重要な課題である。各波長チャネルの劣化は、伝送路の損失、高パワー領域における非線形光学効果による波形劣化または非線形光学現象を誘起するクロストーク、合分波器その他のデバイスの波長依存性による各波長チャネルのフィルタリング効果など、さまざまな要因により決定される。特に、ノード数の多い大規模ネットワークでは、光信号が多数のノードを通過することになるので、合分波器その他のデバイスの波長依存性によるフィルタリング効果については注意深く設計される必要がある。
【０００５】
この設計を行う場合には、ＩＴＵ−ＴＧ.694.1において標準化されている波長グリッドに対する各種デバイスの離調、および各波長チャネルの透過率の光周波数依存性（透過特性）をサブＧHz以下の光周波数分解能で測定する必要がある。また、このような測定データを元に設計・構築された波長多重ネットワークにおいて、各波長チャネルの透過率の光周波数依存性（透過特性）を測定し、設計通りの特性が得られているか否かを確認する必要もある。
【０００６】
このような波長多重ネットワークにおいて、使用される合分波器で合分波される各波長チャネルの透過特性を測定するものとしては、例えば特許文献１に記載の光スペクトラム測定装置がある。これは、波長可変光源から出力された試験光を被測定媒体（例えば合分波器）に入射し、その透過光の強度を測定する構成において、波長可変光源から出力される試験光の波長を連続的に変化させ、その一方で透過スペクトラムが既知の波長基準器に試験光を入射してその透過光の強度から波長を確定し、その確定した波長と被測定媒体の透過光の強度から被測定媒体の透過特性を測定する構成であった。
【０００７】
【特許文献１】特開２０００−１４６６９３号公報
【発明の開示】
【発明が解決しようとする課題】
【０００８】
従来の光スペクトラム測定装置に用いられる波長可変光源では、波長基準器で試験光の光周波数をサブＧHz以下の精度で確定することが困難であり、波長チャネルの透過率の光周波数依存性（波長特性）を高精度に測定することができなかった。また、マイケルソン干渉計の原理を用いた波長計を利用する場合には、所定の精度は確保できるものの環境温度の変動などの影響を受けやすい問題があった。さらに、試験光の波長を連続的に変化させる構成であっても、各波長チャネルの波長特性については順次測定されることになるので、チャネル数分の時間が必要であった。
【０００９】
本発明は、波長多重ネットワークにおける合分波器で合分波される各チャネルの透過率の光周波数依存性（透過特性）を極めて高い精度で測定することができる合分波器の透過特性測定装置を提供することを目的とする。
【課題を解決するための手段】
【００１０】
請求項１に記載の発明は、光信号を狭帯域で等しい光周波数間隔ｆをもった複数のチャネルを合分波する被測定合分波器の各チャネルの透過特性（透過率の光周波数依存性）を測定する合分波器の透過特性測定装置において、各チャネルの光周波数間隔に等しい光周波数間隔ｆでｎ個以上（ｎは２以上の整数）の光周波数成分からなる光周波数コムを発生し、被測定合分波器に入力する光周波数コム発生部と、被測定合分波器で光周波数コムから分波されたｎ個の光周波数成分の光電力値を測定するｎ個の光電力計と、光周波数コム発生部に対して光周波数コムの各光周波数成分の光周波数間隔ｆを保ったままその中心光周波数を掃引する制御を行う光周波数制御部と、光周波数制御部により設定される光周波数コムの各光周波数成分の光周波数と、光電力計で測定される各光周波数成分の光電力値との関係から、被測定合分波器における各チャネルの透過特性を示すデータを生成するデータ加工部とを備える。
【００１１】
請求項２に記載の発明は、光信号を狭帯域で等しい光周波数間隔ｆをもった複数のチャネルを合分波する被測定合分波器の各チャネルの透過特性（透過率の光周波数依存性）を測定する合分波器の透過特性測定装置において、各チャネルの光周波数間隔に等しい光周波数間隔ｆでｎ個以上（ｎは２以上の整数）の光周波数成分からなる光周波数コムを発生し、被測定合分波器に入力する光周波数コム発生部と、被測定合分波器で光周波数コムから分波されたｎ個の光周波数成分の光電力値を測定するｎ個の第１の光電力計と、光周波数コム発生部から出力される光周波数コムを分岐して入力し、ｎ個の光周波数成分を分波する分岐・分波手段と、分岐・分波手段で分波された各光周波数成分の光電力値を測定するｎ個の第２の光電力計と、光周波数コム発生部に対して光周波数コムの各光周波数成分の光周波数間隔ｆを保ったままその中心光周波数を掃引する制御を行う光周波数制御部と、第１の光電力計で測定された各光周波数成分の光電力値を第２の光電力計で測定された各光周波数成分の光電力値で規格化し、その規格化された各光周波数成分の光電力値と光周波数制御部により設定される光周波数コムの各光周波数成分の光周波数との関係から、被測定合分波器における各チャネルの透過特性を示すデータを生成するデータ加工部とを備える。
【００１２】
また、請求項１または請求項２に記載の合分波器の透過特性測定装置において、ｎ個の光電力計に代えて、ｎ個の光電力計に入力するｎ個の光周波数成分の１つを選択する光スイッチと、選択された１つの光周波数成分の光電力値を測定する光電力計とを備え、データ加工部は、光スイッチを切り替えて得られる各光周波数成分の光電力値を蓄積し、被測定合分波器における各チャネルの透過特性を示すデータを生成する構成としてもよい（請求項３）。
【００１３】
以上の透過特性測定装置における光周波数コム発生部は、繰り返し周波数ｆの光パルスを発生するパルス光源と、繰り返し周波数ｆを保ったまま、光パルスの光周波数成分の分布域の外側の広い光周波数領域に新たな光周波数成分を生成し、光周波数間隔ｆの光周波数コムとして出力するＳＣ光発生部とを備える構成としてもよい（請求項４）。
【００１４】
また、光周波数コム発生部は、繰り返し周波数ｆ／Ｍ（Ｍは２以上の整数）の光パルスを発生するパルス光源と、繰り返し周波数ｆ／Ｍを保ったまま、光パルスの光周波数成分の分布域の外側の広い光周波数領域に新たな光周波数成分を生成し、光周波数間隔ｆ／Ｍの光周波数コムとして出力するＳＣ光発生部と、ＳＣ光発生部から出力される光周波数コムを間引き、光周波数間隔ｆの光周波数コムとして出力する周期性透過フィルタとを備える構成としてもよい（請求項５）。
【００１５】
また、光周波数コム発生部は、繰り返し周波数ｆ／Ｍ（Ｍは２以上の整数）の光パルスを発生するパルス光源と、パルス光源から出力される繰り返し周波数ｆ／Ｍの光パルスを間引き、繰り返し周波数ｆの光パルスを出力する周期性透過フィルタと、繰り返し周波数ｆを保ったまま、光パルスの光周波数成分の分布域の外側の広い光周波数領域に新たな光周波数成分を生成し、光周波数間隔ｆの光周波数コムとして出力するＳＣ光発生部とを備える構成としてもよい（請求項６）。
【００１６】
また、光周波数コム発生部は、繰り返し周波数Ｍｆ（Ｍは２以上の整数）の光パルスを発生するパルス光源と、パルス光源から出力される繰り返し周波数Ｍｆの光パルスをＭ分周し、繰り返し周波数ｆの光パルスを出力する分周器と、繰り返し周波数ｆを保ったまま、光パルスの光周波数成分の分布域の外側の広い光周波数領域に新たな光周波数成分を生成し、光周波数間隔ｆの光周波数コムとして出力するＳＣ光発生部とを備える構成としてもよい（請求項７）。
【００１７】
また、光周波数制御部は、所定の基準光の光ピークとこれに最も近い光周波数コムの光ピークとの光周波数間隔が一定になるように光周波数コム発生部を制御する構成としてもよい（請求項８）。
【発明の効果】
【００１８】
本発明は、光周波数コム発生部から出力される光周波数コムを被測定合分波器に入力することにより、被測定合分波器における各チャネルの透過特性を同時かつ高精度の光周波数確度で測定することができる。
【発明を実施するための最良の形態】
【００１９】
（第１の実施形態）
図１は、本発明の合分波器の透過特性測定装置の第１の実施形態を示す。図において、光周波数コム発生部１１で発生する中心光周波数ｆc 、光周波数間隔ｆでｎ個以上の光周波数成分を有する光周波数コムは、被測定合分波器１２に入射される。ここで、光周波数コムの光周波数間隔ｆは、被測定合分波器１２で合分波される各チャネルの光周波数間隔に等しいものとする。被測定合分波器１２で分波された光周波数コムのｎ個の光周波数成分は光電力計１４−１〜１４−ｎに入力され、測定された各光周波数成分の光電力値がデータ加工部１５に入力される。
【００２０】
一方、光周波数コム発生部１１は光周波数制御部１６の制御により、各光周波数成分の光周波数間隔ｆを保ったまま、その中心光周波数ｆc をシフトさせる機能をもっている。データ加工部１５は、光周波数制御部１６により設定される光周波数コムの各光周波数成分の光周波数と、光電力計１４−１〜１４−ｎで測定される各光周波数成分の光電力値との関係から、被測定合分波器１２における各チャネルの透過特性（透過率の光周波数依存性）を示すデータを生成して出力する。
【００２１】
（第２の実施形態）
図２は、本発明の合分波器の透過特性測定装置の第２の実施形態を示す。本実施形態の特徴は、第１の実施形態の構成において、光周波数コム発生部１１から出力される光周波数コムの各光周波数成分の光電力値を別途測定し、その光電力値で被測定合分波器１２を分波して測定された光電力値を規格化する構成にある。そのための構成は、光周波数コム発生部１１の出力を分岐する分岐器１７、分岐された光周波数コムをｎ個の光周波数成分に分波する分波器１８、分波された各光周波数成分の光電力値を測定する光電力計１９−１〜１９−ｎを備える。データ加工部１５は、光電力計１４−１〜１４−ｎ、１９−１〜１９−ｎでそれぞれ測定された光電力値を入力し、光電力計１４−ｉ（ｉは１〜ｎ）で測定された電力値を光電力計１９−ｉで測定された光電力値で規格し、規格化された光電力値をもとに被測定合分波器１２における各チャネルの透過特性を示すデータを生成する。  
【００２２】
（第３の実施形態）
図３は、本発明の合分波器の透過特性測定装置の第３の実施形態を示す。本実施形態の特徴は、第１の実施形態の構成において、ｎ個の光電力計１４−１〜１４−ｎに代えて、被測定合分波器１２で分波されたｎ個の光周波数成分の１つを選択する光スイッチ２１と、光スイッチ２１を介して入力される光周波数成分の光電力値を測定する光電力計２２を備える。データ加工部１５は、光スイッチ２１を切り替えて光電力計２２で順次測定された各光周波数成分の光電力値を蓄積し、被測定合分波器１２における各チャネルの透過特性を示すデータを生成する。
【００２３】
（第４の実施形態）
図４は、本発明の合分波器の透過特性測定装置の第４の実施形態を示す。本実施形態の特徴は、第２の実施形態の構成において、ｎ個の光電力計１４−１〜１４−ｎおよびｎ個の電力計１９−１〜１９−ｎに代えて、被測定合分波器１２で分波されたｎ個の光周波数成分の１つを選択する光スイッチ２１と、分波器１８で分波されたｎ個の光周波数成分の１つを選択する光スイッチ２３と、光スイッチ２１，２３を介して入力される光周波数成分の光電力値を測定する光電力計２２，２４を備える。データ加工部１５は、光スイッチ２１，２３を連動して切り替えて光電力計２２，２４で順次測定された各光周波数成分の光電力値を蓄積し、規格化された光電力値を用いて被測定合分波器１２における各チャネルの透過特性を示すデータを生成する。
【００２４】
（光周波数コム発生部１１の第１の構成例）
図５は、光周波数コム発生部１１の第１の構成例を示す。図において、光周波数コム発生部１１は、モードロックパルス光源７１およびＳＣ（スーパーコンティニウム）光発生部（例えば光非線形媒質）７２により構成される。
【００２５】
モードロックパルス光源７１は、光周波数制御部１６から供給される周波数ｆのクロックに同期した繰り返し周波数ｆのモードロック光パルスを発生する。このモードロック光パルスの光周波数スペクトルは、図６(a) のように、光周波数軸上に光周波数間隔ｆで等間隔に並んだ光周波数成分の合成である。このモードロック光パルスをＳＣ光発生部７２に入射すると、図６(b) に示すように、媒質中の光非線形効果によって光周波数間隔ｆを保ったまま、モードロック光パルスの光周波数成分の分布域の外側の広い光周波数領域に新たな光周波数成分が生成される。これらの光周波数成分の位相は、すべて時間領域においてモードロック光パルスに同期している。その結果、上記の各実施形態の光周波数コム発生部１１で発生する光周波数コムの条件を満足する出力光が、ＳＣ光発生部７２から出力されることになる。
【００２６】
ここで、光周波数コムと図示しない基準光を合波することにより、その光周波数スペクトルは図６(c) に示すように、等間隔ｆで配置された光周波数コムの光ピーク間に基準光の光ピークが発生する。このとき、基準光の光ピークとこれに最も近い光周波数コムの光ピークとの光周波数間隔ｆd を常に一定に保つように光周波数制御部１６の制御を実行すれば、光周波数コムに含まれるすべての光周波数成分の光周波数は、基準光に対して常に一定の光周波数間隔を保持することになる。これにより、光周波数コムの各光周波数成分は、基準光と同等の波長確度を有することになる。また、光周波数間隔ｆd をΔｆだけシフトさせるように制御すれば、光周波数コムの各光周波数成分は基準光と同等の波長確度を保ったまま、中心光周波数ｆc をΔｆだけシフトさせることができる。
【００２７】
また、基準光を発生する光源として、アセチレンあるいはシアン等の分子吸収線に対して発振波長をロックした構成の光源を用いることにより、概ね10-7程度の現状の波長計に比べて非常に高い波長確度を実現することができる。
【００２８】
（光周波数コム発生部１１の第２の構成例）
図７は、光周波数コム発生部１１の第２の構成例を示す。図において、光周波数コム発生部１１は、モードロックパルス光源７１、ＳＣ光発生部（例えば光非線形媒質）７２および周期性透過フィルタ７３により構成される。モードロックパルス光源７１、ＳＣ光発生部７２および光周波数制御部１６の関係は、図５に示す第１の実施形態と同様である。本構成例では、モードロックパルス光源７１で繰り返し周波数ｆ／Ｍのモードロック光パルスを発生させ、ＳＣ光発生部７２から出力される光周波数間隔ｆ／Ｍの光周波数コムを周期性透過フィルタ７３で間引き、光周波数間隔ｆの光周波数コムに変換する。
【００２９】
（光周波数コム発生部１１の第３の構成例）
図８は、光周波数コム発生部１１の第３の構成例を示す。図において、光周波数コム発生部１１は、モードロックパルス光源７１、周期性透過フィルタ７３およびＳＣ光発生部（例えば光非線形媒質）７２により構成される。本構成例は、図１１に示す第２の構成例おけるＳＣ光発生部７２と周期性透過フィルタ７３の順番を入れ替えたものである。モードロックパルス光源７１から出力される繰り返し周波数ｆ／Ｍのモードロック光パルスを周期性透過フィルタ７３で間引き、光周波数間隔ｆのモードロック光パルスをＳＣ光発生部７２に入射する。これにより、光周波数間隔ｆの光周波数コムが生成される。
【００３０】
（光周波数コム発生部１１の第４の構成例）
図９は、光周波数コム発生部１１の第４の構成例を示す。図において、光周波数コム発生部１１は、モードロックパルス光源７１、分周器７４およびＳＣ光発生部（例えば光非線形媒質）７２により構成される。
【００３１】
光周波数コムは、図１０(a) に示すように、光周波数軸上において光周波数間隔ｆで等間隔に配列される光周波数成分である。これらの光周波数成分の位相はすべて同期しており、図１０(b) に示すようにそれぞれの光周波数成分の位相がある瞬間にすべて一致する関係にある。各光周波数成分の光周波数間隔がｆであるため、時間軸上では１／ｆの周期で光周波数成分の位相の一致が観測され、かつこの瞬間にすべての光周波数成分が互いに強め合って大きなパワーとなる。したがって、光周波数コム発生部１１で発生する光周波数コムを時間軸上で観測すると、図１０(c) に示すように、１／ｆの時間間隔で非常に幅の狭いパルス光となる。
【００３２】
本構成例では、モードロックパルス光源７１から出力される繰り返し周波数Ｍｆのモードロック光パルスを分周器７４に入力し、時間軸上でパルス光を間引くことにより繰り返し周波数ｆのモードロック光パルスとし、これをＳＣ光発生部７２に入射することにより、光周波数間隔ｆの光周波数コムが生成される。
【図面の簡単な説明】
【００３３】
【図１】本発明の合分波器の透過特性測定装置の第１の実施形態を示す図。
【図２】本発明の合分波器の透過特性測定装置の第２の実施形態を示す図。
【図３】本発明の合分波器の透過特性測定装置の第３の実施形態を示す図。
【図４】本発明の合分波器の透過特性測定装置の第４の実施形態を示す図。
【図５】光周波数コム発生部１１の第１の構成例を示す図。
【図６】光周波数コム発生部１１の各部の光スペクトルを示す図。
【図７】光周波数コム発生部１１の第２の構成例を示す図。
【図８】光周波数コム発生部１１の第３の構成例を示す図。
【図９】光周波数コム発生部１１の第４の構成例を示す図。
【図１０】光周波数コム発生部１１の発生する光周波数コムの特徴を示す図。
【符号の説明】
【００３４】
１１  光周波数コム発生部
１３  被測定合分波器
１４，１９，２２，２４  光電力計
１５  データ加工部
１６  光周波数制御部
１７  分岐器
１８  分波器
２１，２３  光スイッチ
７１  モードロックパルス光源
７２  ＳＣ光発生部
７３  周期性透過フィルタ
７４  分周器
【図１】
2005049241.tif 000003
【図２】
2005049241.tif 000004
【図３】
2005049241.tif 000005
【図４】
2005049241.tif 000006
【図５】
2005049241.tif 000007
【図６】
2005049241.tif 000008
【図７】
2005049241.tif 000009
【図８】
2005049241.tif 000010
【図９】
2005049241.tif 000011
【図１０】
2005049241.tif 000012